(57)【特許請求の範囲】
【請求項１】
減速機付きモータユニットであって、
主ケーシングユニット（２）のホイール収容室（３）内に配置され、軸線（Ｃｗ）の周りに回転可能に支持されるウォームホイール（８）と、
前記ウォームホイール（８）の前記軸線（Ｃｗ）と直角に交差する側から前記主ケーシングユニット（２）に固定部材（１２）によって固定され、出力シャフト（９ａ）に固着されたウォーム（１０）が前記ウォームホイール（８）と噛み合うモータ（９）と、
一方の側で前記ホイール収容室（３）に隣接するように前記主ケーシングユニット（２）に画定された基板収容室（５）と、
前記モータ（９）の前記出力シャフト（９ａ）の軸出力シャフト線（Ｃｍ）と交差する姿勢で前記基板収容室（５）に配置される制御基板（１５）であって、前記モータ（９）と電気的に接続され、前記制御基板（１５）の一方の側の外部と接続されるコネクタ（２１）が設けられる制御基板（１５）と
を備え、
前記制御基板（１５）は、前記制御基板（１５）のモータ側部位に設けられた基板側端子（３７）によって前記モータ（９）に電気的に接続され、前記モータ（９）のモータ側端子（３８）は、前記基板側端子（３７）の頂面（３７ｂ）の頂部から前記基板側端子（３７）に嵌合され、
前記頂面（３７ｂ）のモータ側端部と前記回路基板（１５）との間の距離（Ｄ１）は、前記頂面（３７ｂ）のコネクタ側端部と前記回路基板（１５）との間の距離（Ｄ２）よりも大きく、
前記基板側端子（３７）は、前記頂面（３７ｂ）と反対側の底面（３７ｃ）を含み、
前記基板側端子（３７）は、前記底面（３７ｃ）から突出し、前記制御基板（１５）に形成された孔に圧入される圧入端部（３７ａ）をさらに含み、および／または前記底面（３７ｃ）は、前記制御基板（１５）上に少なくとも部分的にはんだ付けされる、
減速機付きモータユニット。
【請求項２】
前記圧入端部（３７ａ）の少なくとも１つは、前記底面（３７ｃ）のモータ側端部に可能な限り近くに位置し、前記圧入端部（３７ａ）の少なくとも１つは、前記底面（３７ｃ）のコネクタ側端部に可能な限り近くに位置する、請求項１に記載の減速機付きモータユニット。
【請求項３】
前記頂面（３７ｂ）の前記モータ側端部から前記頂面（３７ｂ）の前記コネクタ側端部までの第１の方向における前記頂面（３７ｂ）の全体形状は、少なくとも部分的に凸状である、請求項１または２のいずれか一項に記載の減速機付きモータユニット。
【請求項４】
前記頂面（３７ｂ）の前記モータ側端部から前記頂面（３７ｂ）の前記コネクタ側端部までの第１の方向における前記頂面（３７ｂ）の前記全体形状は、少なくとも部分的に凹状である、請求項１〜３のいずれか一項に記載の減速機付きモータユニット。
【請求項５】
前記第１の方向に垂直な第２の方向における前記頂面（３７ｂ）の全体形状は、少なくとも部分的に凸状である、請求項３または４のいずれか一項に記載の減速機付きモータユニット。
【請求項６】
前記制御基板（１５）は、前記制御基板（１５）のモータ側端部が前記モータ（９）の前記出力シャフト（９ａ）の前記軸出力シャフト線（Ｃｍ）と直角に交差する姿勢から別の側に向かって変位する方向に傾き、
前記頂面（３７ｂ）の前記モータ側端部と前記回路基板（１５）との間の前記距離（Ｄ１）、および前記頂面（３７ｂ）の前記コネクタ側端部と前記回路基板（１５）との間の前記距離（Ｄ２）は、前記モータ側端部から前記コネクタ側端部への前記頂面（３７ｂ）の第１の方向（Ｃｌ）が前記軸出力シャフト線（Ｃｍ）に実質的に垂直になるように選択される、
請求項１〜５のいずれか一項に記載の減速機付きモータ。
【発明の詳細な説明】
【技術分野】
【０００１】
本発明は、減速機付きモータユニットに関し、より具体的には、モータの駆動制御を実行する内蔵制御基板を有し、ウォームおよびウォームホイールを備える減速機を介してモータの回転を出力する減速機付きモータユニットに関する。
【背景技術】
【０００２】
この種の減速機付きモータユニットの従来の例として、特許文献１に記載されているパワーウィンドウユニットがある。特許文献１の図１に示すように、ウォームホイールは、パワーウィンドウユニットの主ケーシングユニット内に画定されたホイール収容室内の軸線の周りに回転可能に支持されている。モータは、ウォームホイールの軸線と直角に交差する側に合計４つのねじによって主ケーシングユニットに固定され、モータの出力シャフトに固着されたウォームは、ウォームホイールと噛み合う。基板収容室は、一方の側でホイール収容室に隣接するように主ケーシングユニットに画定され、制御基板は、基板収容室内に配置される。
【０００３】
制御基板は、モータに電気的に接続され、ホイール収容室と反対方向に向けられたコネクタを介して外部から電力および操作信号の入力を受け取り、操作信号に従ってモータの駆動制御を実行する。
【先行技術文献】
【特許文献】
【０００４】
【特許文献１】米国特許出願公開第２００３／０１３７２０２号明細書
【発明の概要】
【発明が解決しようとする課題】
【０００５】
しかしながら、特許文献１に記載のパワーウィンドウユニットは、ユニットの適切な基板形状とコンパクトなサイズを同時に達成することができないという問題がある。
【０００６】
具体的には、上記のように、モータは４つのねじ（以下、「モータ固定ユニット」）によって主ケーシングユニットに固定されており、これらのモータ固定ユニットは、モータの出力シャフトの軸方向で制御基板と重なる場所にある。したがって、制御基板に近い側の２つのモータ固定ユニットとの干渉を防止するために、大きな逃げ部が制御基板の両側に形成されている。
【０００７】
この種の不規則な基板形状は、制御基板の製造コストを大幅に増加させる要因であり、また、基板上の素子の最適な配置が基板面積の減少によって困難になるため、パワーウィンドウユニットの信頼性を低下させる要因にもなる。
【０００８】
これらの問題を解決するために、モータ固定ユニットの位置を主ケーシングユニットから離れる方向に移動させることによって、モータ固定ユニットと制御基板との重なりを回避するための対策が検討されてきた。しかしながら、このようにモータ固定ユニットを移動させるとモータ自体も主ケーシングユニットから離れるので、モータの出力シャフトの軸方向にパワーウィンドウユニットが大きくなるという問題が生じる。
【０００９】
その結果、特許文献１のパワーウィンドウユニットでは、基板サイズの制限の問題やユニットサイズの増大の問題を回避することができないため、根本的な再評価が望まれていた。
【００１０】
本発明は、これらの問題を解決するために考案されたものであり、その目的は、制御基板のコスト削減と、ユニットのサイズを増大させることなく適切な基板形状を実現することによってサイズの小型化を図り、基板上の素子の最適な配置により機械的および電気的信頼性の両方の向上とを達成することができる、減速機付きモータユニットを提供することである。
【課題を解決するための手段】
【００１１】
この目的を達成するために、減速機付きモータユニットは、主ケーシングユニットのホイール収容室内に配置され、軸線の周りに回転可能に支持されるウォームホイールと、ウォームホイールの軸線と直角に交差する側から主ケーシングユニットに固定部材によって固定され、出力シャフトに固着されたウォームがウォームホイールと噛み合うモータと、一方の側でホイール収容室に隣接するように主ケーシングユニットに画定された基板収容室と、モータの出力シャフトの軸出力シャフト線と交差する姿勢で基板収容室に配置される制御基板であって、モータと電気的に接続され、制御基板の一方の側の外部と接続されるコネクタが設けられる制御基板とを備え、制御基板は、制御基板（１５）のモータ側部位に設けられた基板側端子によってモータに電気的に接続され、モータのモータ側端子は、基板側端子の頂面の頂部から基板側端子に嵌合される、減速機付きモータユニットである。頂面のモータ側端部と回路基板との間の距離は、頂面のコネクタ側端部と回路基板との間の距離よりも大きい。基板側端子は、頂面と反対側の底面を含み、底面から突出し、制御基板に形成された孔に圧入される圧入端部をさらに含む。代替的に、または圧入端部に加えて、底面は、制御基板上に少なくとも部分的にはんだ付けされる（請求項１）。
【００１２】
このように構成された減速機付きモータユニットでは、基板側端子の頂面は、制御基板に非平行である。言い換えれば、頂面のモータ側端部と頂面のコネクタ側端部を接続する接続線は、制御基板と鋭角を形成する。このような構成では、制御基板が、制御基板のモータ側端部が軸出力シャフト線と直角に交差する姿勢から別の側に向かって変位する方向に傾くとき、制御基板のこの傾いた構成は、基板側端子の頂面の非平行構成によって補償することができる。基板側端子は、圧入端部および／またははんだ付けを使用して、制御基板にさらに確実に締結される。その結果、制御基板が傾いた構成であっても、基板側端子とモータ側端子との信頼性の高い電気的接続を達成することができる。
【００１３】
好ましい実施形態では、圧入端部の少なくとも１つは、底面のモータ側端部に可能な限り近くに位置し、圧入端部の少なくとも１つは、底面のコネクタ側端部に可能な限り近くに位置する（請求項２）。
【００１４】
このように構成された減速機付きモータユニットでは、圧入端部が、それぞれ基板側端子の底面のモータ側端部とコネクタ側端部に可能な限り近くにあることが保証される。その結果、隣接する圧入端部間の距離が最大化される。したがって、モータ側端子を基板側端子に嵌合する際に基板側端子に作用する力をより簡単に吸収することができ、モータ側端子と基板側端子とのより安定した、より長期的な信頼性の高い電気的接続が可能になる。
【００１５】
好ましい実施形態では、頂面のモータ側端部から頂面のコネクタ側端部までの第１の方向における頂面の全体形状は、少なくとも部分的に凸状である（請求項３）。
【００１６】
このように構成された減速機付きモータユニットでは、モータ側端子を基板側端子に嵌合する際、モータ側端子が凸状の頂面に面しており、したがってモータ側端子と基板側端子との間の全体的な接触面積を減らすことができるため、嵌合力を低減することができる。
【００１７】
好ましい実施形態では、頂面のモータ側端部から頂面のコネクタ側端部までの第１の方向における頂面の全体形状は、少なくとも部分的に凹状である（請求項４）。
【００１８】
このように構成された減速機付きモータユニットでは、凸状形状と同様に、モータ側端子を基板側端子に嵌合する際、モータ側端子が凹状の頂面に面しており、したがってモータ側端子と基板側端子との間の全体的な接触面積を減らすことができるため、モータ側端子と基板側端子との嵌合力を低減することができる。
【００１９】
好ましい実施形態では、第１の方向に垂直な第２の方向における頂面の全体形状は、少なくとも部分的に凸状である（請求項５）。
【００２０】
このように構成された減速機付きモータユニットでは、モータ側端子は、頂面の頂部から基板側端子に少ない嵌合力で簡単に嵌合することができる。
【００２１】
好ましい実施形態では、制御基板は、制御基板のモータ側端部がモータの出力シャフトの軸出力シャフト線と直角に交差する姿勢から別の側に向かって変位する方向に傾き、頂面のモータ側端部と回路基板との間の距離、および頂面のコネクタ側端部と回路基板との間の距離は、モータ側端部からコネクタ側端部への頂面の第１の方向が出力シャフトの軸出力シャフト線に実質的に垂直になるように選択される（請求項６）。
【００２２】
このように構成された減速機付きモータユニットでは、モータ側端子が軸出力シャフト線に実質的に平行な嵌合方向に沿って基板側端子に嵌合されると、頂面は、嵌合方向に実質的に垂直に配置される。その結果、モータ側端子は、基板側端子の頂面の頂部から基板側端子に常に確実にかつ長期的に信頼性が高く嵌合することができる。
【００２３】
本発明の別の態様によれば、本発明による減速機付きモータユニットは、主ケーシングユニットのホイール収容室内に配置され、軸線の周りに回転可能に支持されるウォームホイールと、ウォームホイールの軸線と直角に交差する側から主ケーシングユニットに固定部材によって固定され、出力シャフトに固着されたウォームがウォームホイールと噛み合うモータと、一方の側でホイール収容室に隣接するように主ケーシングユニットに画定された基板収容室と、モータの出力シャフトの軸線と交差する姿勢で基板収容室に配置され、モータと電気的に接続され、一方の側の外部と接続されるコネクタが設けられる制御基板とを備え、モータ側端部がモータの出力シャフトの軸線と直角に交差する姿勢から別の側に向かって変位する方向に制御基板が傾くと、モータ側端部は、それによって出力シャフトの軸線方向に固定部材の固定ユニットから離れるように移動する、減速機付きモータユニットである。
【００２４】
このように構成された減速機付きモータユニットでは、モータの出力シャフトの軸線方向における固定ユニットと制御基板との重なりを回避することができ、固定ユニットとの干渉を防止するために制御基板に逃げ部を形成する必要がなくなる。したがって、基板形状の制限をなくし、適切な基板形状、例えば、一般的な長方形の形状を有する制御基板を達成することが可能である。さらに、例えば、特許文献１の技術のように、制御基板と固定ユニットとの重なりを回避するために固定ユニットの位置を主ケーシングユニットから離れる方向に移動させる必要がないため、ユニットのサイズの増大を回避することが可能である。
【００２５】
本発明の別の態様では、基板収容室は、モータに対向して形成された開口部を有し、好ましくは、コネクタを構成するコネクタカバーは、開口部を塞ぐように取り外し可能に配置され、制御基板は、基板表面に沿って、モータと反対側から開口部に挿入される。
【００２６】
このように構成された減速機付きモータユニットでは、基板収容室の開口部は、基板表面に沿って挿入された制御基板とその上に搭載された素子との干渉を防止するのに十分な大きさであればよく、したがって小さな開口部であっても問題なく機能性が維持される。その結果、主ケーシングユニットは、大きな開口部が形成される場合よりも優れた強度を有する。
【００２７】
本発明の別の態様として、好ましくは、基板収容室の開口部とコネクタカバーとの間の空間は、水密パッキンで埋められている。このように構成された減速機付きモータユニットでは、水密シールに必要なシールの長さが短くなり、水密パッキンを小さくして水密シールの難易度を軽減することが可能である。
【００２８】
本発明の別の態様として、好ましくは、基板収容室の開口部は、モータに対向して前記方向に斜めに形成され、コネクタを構成するコネクタカバーおよびコネクタ端子は、開口部から前記側に突出する制御基板に設けられ、コネクタカバーは、コネクタ端子を包み込み、開口部を塞ぐように前記側から基板収容室の開口部に設けられる。
【００２９】
このように構成された減速機付きモータユニットでは、制御基板の挿入位置とコネクタ端子の突出した配置の両方は、対角線方向で基板収容室に開口部を単に形成するという単純な形状で達成され、開口部付近の構成を簡素化する。
【００３０】
本発明の別の態様として、好ましくは、制御基板は、制御基板のモータ側部位に設けられた基板側端子によってモータに電気的に接続され、モータのモータ側端子は、基板側端子に嵌合され、制御基板のモータ側端部および基板側端子は、制御基板の傾きによって他方の側に向かって変位する。
【００３１】
このように構成された減速機付きモータユニットでは、傾いた制御基板のモータ側端部および基板側端子が他方の側に向かって変位し、したがってモータの位置も他方の側に移動するため、ユニットを小さくすることができる。
【００３２】
本発明の別の態様として、好ましくは、制御基板は、制御基板のモータ側部位に設けられた基板側端子によってモータに電気的に接続され、モータのモータ側端子は、基板側端子に嵌合され、開口部を介してモータの反対側から挿入された制御基板の基板側端子の位置を補正する端子案内ユニットは、基板収容室内に設けられる。
【００３３】
このように構成された減速機付きモータユニットでは、傾きなどにより小型で低剛性の基板側端子に位置ずれが生じやすいにもかかわらず、位置が端子案内ユニットによって補正されるため、モータ側端子を確実に嵌合することができる。
【００３４】
本発明の別の態様として、好ましくは、制御基板は、制御基板のモータ側部位に設けられた基板側端子によってモータに電気的に接続され、モータのモータ側端子は、基板側端子に嵌合され、モータ側端子を基板側端子に嵌合する際に制御基板を基板側端子付近の他方の側に向かって当接させることによって制御基板の位置を制限する基板位置制限ユニットは、基板収容室内に設けられる。
【００３５】
このように構成された減速機付きモータユニットでは、基板側端子は、嵌合時にモータ側端子から押圧力を受けるが、位置が制御基板を介して端子位置制限ユニットによって制限されるために移動または変形せず、したがってモータ側端子を確実に嵌合することができる。
【００３６】
本発明の別の態様として、好ましくは、制御基板は、制御基板のモータ側部位に設けられた基板側端子によってモータに電気的に接続され、モータのモータ側端子は、基板側端子に嵌合され、モータ側端子を基板側端子に嵌合する際に基板側端子を他方の側に向かって当接させることによって基板側端子の位置を制限する端子位置制限ユニットは、基板収容室内に設けられる。
【００３７】
このように構成された減速機付きモータユニットでは、基板側端子は、嵌合時にモータ側端子から押圧力を受けるが、制御基板の反りまたは変形が端子位置制限ユニットの位置制限によって防止されるために移動または変形せず、したがってモータ側端子を確実に嵌合することができる。
【００３８】
本発明の別の態様として、好ましくは、制御基板を傾けると、基板収容室のモータと反対側の部位がホイール収容室から離れて前記側に向かって移動し、コネクタの一方の側の取り付けおよび取り外しを可能にする係合ユニットは、前記移動によって作られた空間に設けられる。
【００３９】
このように構成された減速機付きモータユニットでは、モータと反対側の基板収容室の部位がホイール収容室から離れて前記側に向かって移動し、これにより作られた空間は係合ユニットを形成するために使用されるため、複雑な固定構造を必要とせずに、コネクタの一方の側を単純な係合原理で固着することができる。
【００４０】
本発明の別の態様として、好ましくは、ホイール収容室は、カバー部材によって塞がれるウォームホイールの軸線に沿った一方の側表面によって画定され、制御基板を傾けると、基板収容室のモータと反対側の部位がホイール収容室から離れて前記側に向かって移動し、カバー部材の周囲の縁部は、前記移動によって作られた空間をかしめることによってホイール収容室の周囲の縁部に接合される。
【００４１】
このように構成された減速機付きモータユニットでは、モータと反対側の基板収容室の部位がホイール収容室から離れて前記側に向かって移動し、これにより作られた空間はかしめに使用されるため、複雑な接合構造を必要とせずに、カバー部材を単純なかしめでホイール収容空間に接合することができる。
【発明の効果】
【００４２】
本発明による減速機付きモータユニットによれば、制御基板のコスト削減と、ユニットのサイズを増大させることなく適切な基板形状を実現することによってサイズの小型化を図り、基板上の素子の最適な配置により機械的および電気的信頼性の向上とを達成することができる。
【図面の簡単な説明】
【００４３】
【図１】一実施形態によるパワーウィンドウユニットを示す斜視図である。
【図２】パワーウィンドウユニットを示す断面図である。
【図３】図１のパワーウィンドウユニットを示す右側面図である。
【図４】水密パッキンを設置する前の基板収容室の開口部を示す斜視図である。
【図５】水密パッキンを設置した後の基板収容室の開口部を示す斜視図である。
【図６】コネクタカバーを示す斜視図である。
【図７】制御基板を示す斜視図である。
【図８】制御基板が挿入される前の基板収容室の頂部を示す斜視図である。
【図９】制御基板が挿入された後の基板収容室の頂部を示す斜視図である。
【図１０】モータ側端子を基板側端子に嵌合する際の基板収容室の頂部を示す斜視図である。
【図１１】モータ側端子を基板側端子に嵌合する際の図１０の線ＸＩ−ＸＩ線に沿った断面図である。
【図１２】別の実施形態において制御基板が挿入される前の基板収容室の頂部を示す斜視図である。
【図１３】別の実施形態において制御基板が挿入された後の基板収容室の頂部を示す斜視図である。
【図１４】別の実施形態においてモータ側端子を基板側端子に嵌合する際の図１１に対応する断面図である。
【図１５】制御基板および基板側端子をより詳細に示す斜視図である。
【図１６】制御基板および基板側端子の別の実施形態の詳細な斜視図である。
【図１７】制御基板および基板側端子のさらに別の実施形態の詳細な斜視図である。
【発明を実施するための形態】
【００４４】
以下、本発明を、車両ドア内に設置され、ウィンドウを昇降させるパワーウィンドウユニットに適用した一実施形態について説明する。図１は、本実施形態によるパワーウィンドウユニットを示す斜視図である。
図２は、パワーウィンドウユニットを示す断面図である。図３は、図１のパワーウィンドウユニットを示す右側面図である。縦方向および横方向は図２に従って以下で定義され、紙と直角に交差する方向は、深さ方向である。
【００４５】
説明の前に、本実施形態および本発明の方向の表現に関する対応関係を説明するために、本実施形態における右側は、本発明における前記側に対応し、本実施形態における左側は、他方の側に対応する。また、本実施形態における上側、上方、頂縁部、および頂部は、本発明におけるモータ側に対応し、下側、下方、底縁部、および底部は、本発明におけるモータの反対側に対応する。
【００４６】
パワーウィンドウユニット１の主ケーシングユニット２は、プラスチック製であり、後述するホイール収容室３、ウォーム収容室４、および基板収容室５は、一体的に形成されている。ホイール収容室３は、正面から見ると円形の形状を形成し、ホイール収容室３の底部の左右に２つ、頂部に１つの取付ブラケット６が一体的に形成されている。ホイール収容室３は、深さ方向に所定の厚さを有し、前表面（本発明の一方の側表面に相当）は、開口して形成されている。開口部には、アルミニウム板をプレス成形することによって形成されたフロントカバー７（本発明のカバー部材に相当）が配置される。
【００４７】
フロントカバー７の周囲の縁部（図２に文字Ｃによって示される）の１８０％で互いに対向する２つの場所は、かしめによってホイール収容室３の周囲の縁部に接合され、それによって開口部が塞がれ、ホイール収容室３が画定される。ウォームホイール８がホイール収容室３内の深さ方向に延びる軸線Ｃｗの周りに回転可能に支持され、ウォームホイール８の出力シャフト８ａがフロントカバー７を貫通して深さ方向に突出している。
【００４８】
ウォーム収容室４は、ホイール収容室３の上方で主ケーシングユニット２内の場所の右側から形成され、その内部は、下方に位置するホイール収容室３の頂部と連通する。ブラシモータ９（以下、単に「モータ」）の出力シャフト９ａは、ウォーム収容室４内のウォームホイール８の軸線Ｃｗと交差する右側から挿入され、出力シャフト９ａに固着されたウォーム１０は、ウォームホイール８と噛み合う。
【００４９】
雌ねじ部１１は、ウォーム収容室４の上下に１つずつ、主ケーシングユニット２の右側表面に形成される。ねじ１２（固定部材）は、モータ９のフランジ部９ｂを貫通して雌ねじ部１１にねじ込まれ、したがってモータ９は主ケーシングユニット２に固定される。ねじ１２および雌ねじ部１１からなる３つの固定場所は、以下、モータ固定ユニット１３（本発明の固定ユニットに相当）と呼ばれる。
【００５０】
パワーウィンドウユニット１は、３つの取付ブラケット６を介して車両ドア内の所定の位置に取り付けられ、ウォームホイール８の出力シャフト８ａに形成されたセレーション８ｂは、ウィンドウ昇降機構と連結される。モータ９の出力シャフト９ａが所定の方向に旋回すると、その旋回がウォーム１０およびウォームホイール８によって減速され、出力シャフト８ａからウィンドウ昇降機構に伝達され、ウィンドウは、旋回の方向に応じて昇降する。
【００５１】
基板収容室５は、ホイール収容室３の右側に隣接するように主ケーシングユニット２で画定される。全体として、基板収容室５は、縦方向に延びる形状であり、制御基板１５は、左側表面がホイール収容室３側を向くように、言い換えれば、モータ９の出力シャフト９ａの軸出力シャフト線（短く言うと、軸線）Ｃｍと交差するように内部に設置される。詳細は後述するが、制御基板１５の頂部はモータ９に電気的に接続されており、電力および操作信号が制御基板１５の底部に設けられたコネクタ２１を介して外部から入力される。
【００５２】
なお、このように制御基板１５を主ケーシングユニット２内に配置することによって、制御基板１５は、左右のドアのパワーウィンドウユニット１に共通にすることができ、主ケーシングユニット２は、同じ左右対称を有するように設計することができることに留意されたい。
【００５３】
制御基板１５は、モータ９の駆動制御を行う機能を実行し、例えば、ウィンドウの昇降操作に対応する入力された操作信号に基づいてモータ９を駆動し、後述する回転角センサ４２によって検出されたモータ回転角に基づいてウィンドウの縦方向位置を決定し、モータ９を全閉位置および全開位置で自動的に停止する。基板収容室５内の制御基板１５の配置、モータ９との電気的接続構造、およびコネクタ構造は、本発明の特徴であり、以下で詳細に説明する。
【００５４】
なお、上記の説明から明らかなように、本実施形態のパワーウィンドウユニット１におけるウォームホイール８、モータ９および制御基板１５のレイアウトは、特許文献１に記載されているものと基本的に同じである。したがって、モータ固定ユニット１３の場所がモータ９の出力シャフト９ａの軸線Ｃｍ方向において制御基板１５と重なるように設定される場合、特に底部の２つのモータ固定ユニット１３との干渉を防止するために、逃げ部が制御基板１５に形成されなければならない。さらに、モータ固定ユニット１３が主ケーシングユニット２から離れて右側に移動して重なりを回避する場合、パワーウィンドウユニット１は、出力シャフト９ａの軸線Ｃｍ方向（左右）に大きくなる。
【００５５】
この欠点を考慮して、本発明者は、ホイール収容室３、ウォーム収容室４および基板収容室５の間に形成される図２に示す面積Ｅがデッドスペースであり、決して使用されないことを見出した。言い換えれば、上述の対策のようにモータ固定ユニット１３を右側に移動させる代わりに、制御基板１５の頂部（本発明のモータ側端部に相当）が左側に移動し、デッドスペース内に配置される場合、モータ９の出力シャフト９ａの軸線Ｃｍ方向において、制御基板１５の頂部をモータ固定ユニット１３から離れて移動させることによって両方向の重なりを回避することができる。その結果、モータ固定ユニット１３の移動によるユニット１のサイズの増大を防止することができ、重なりを回避することによって逃げ部のない最適な基板形状を維持することができる。
【００５６】
一方、制御基板１５の底端部をホイール収容室３から離れた右側に移動させ、その間に空間を作ることが望ましい。詳細を以下に示すが、この空間は、フロントカバー７をホイール収容室３にかしめ、コネクタカバー２０を以下に説明する基板収容室５の開口部１８に固定するように作られている。
【００５７】
その結果、本実施形態では、モータ９の出力シャフト９ａの軸線Ｃｍと直角に交差するときの制御基板１５の姿勢（直立姿勢）を基準として使用することで、制御基板１５は、頂端部が左側に移動し、底端部が右側に移動するように傾く。より正確には、制御基板１５は、ウォームホイール８の軸線Ｃｗと底部モータ固定ユニット１３を接続する仮想線Ｌと直角に交差するように傾いている。また、傾きの方向は特許文献１の制御基板と同じであるが、モータ９の出力シャフト９ａの軸線Ｃｍ方向に制御基板１５の頂端部をモータ固定ユニット１３から離れて移動させることによって重なりが回避されるという点で根本的な違いがあり、この違いに基づいて顕著な効果が得られる。制御基板１５およびその周辺の構成については、以下で詳細に説明する。
【００５８】
上述のように制御基板１５を傾かせるために、制御基板１５が配置される基板収容室５自体は、対応する方向に傾く形状に画定される。言い換えれば、基板収容室５の左壁５ａは、基板収容室５の縦方向長さ全体に沿って延び、左壁５ａの頂部は、ホイール収容室３の実質的に近くに直接接続され、それによってデッドスペースに位置している。
【００５９】
左壁５ａの底部は、板状の連結バー１６を介してホイール収容室３の底部右の取付ブラケット６に接続される。したがって、左壁５ａの底部（本発明のモータに対向する部位に相当）は、連結バー１６の長さに対応する距離だけホイール収容室３から離れて右に分離され、その結果、空間が基板収容室５の底部とホイール収容室３の底部との間に作られる。
【００６０】
以下の説明の理解を容易にするために、説明は制御基板１５に焦点を合わせて段階的に進められる。最初に、制御基板１５の底部面積の構成および作用効果を説明し、続いて制御基板１５の頂部面積の構成および作用効果を説明し、最後に制御基板１５の姿勢の作用効果を説明する。
【００６１】
（制御基板１５の底部面積の構成）
図４は、水密パッキンを設置する前の基板収容室５の開口部を示す斜視図である。図５は、水密パッキンを設置した後の基板収容室５の開口部を示す斜視図である。図６は、コネクタカバーを示す斜視図である。
【００６２】
図２、図４、および図５に示すように、基板収容室５の縦方向長さ全体に沿って延びる左壁５ａとは対照的に、右壁５ｂは、制御基板１５を配置するための空間を作るように右に移動し、主に基板収容室５の頂部半分に形成される。制御基板１５が挿入される開口部１８が基板収容室５の底部に形成され、右壁５ｂの底縁部が左壁５ａの底縁部よりも高くに位置決めされるため、開口部１８は斜め右下に開口し、開口端部は長方形を実質的に形成する。
【００６３】
開口部１８が斜めに向けられるため、制御基板１５は、図４に示すように、下から基板表面に沿って基板収容室５に挿入されることによって内部に配置することができる。なお、挿入中、制御基板１５は、基板収容室５内の前後両側に形成された溝５ｄ（図１１に示す）によって遊びをもって案内されることに留意されたい。
【００６４】
複数のコネクタ端子１９が基板収容室５に挿入された制御基板１５の底部に設けられ、右側に突出して面している。これらのコネクタ端子１９は、電源端子と操作信号端子に分かれている。コネクタ端子１９は、斜めに面した開口部１８から右側に突出している。後述するように、これらのコネクタ端子１９および後述するコネクタカバー２０によって、電力および操作信号が入力されるコネクタ２１が構成される。
【００６５】
図６に示すコネクタカバー２０は、コネクタ端子１９と共にコネクタ２１を構成するだけでなく、基板収容室５の開口部１８に取り外し可能に固定され、開口部１８を塞ぐ役割も果たす。パワーウィンドウユニット１には水密性が要求されるため、基板収容室５の開口部１８とコネクタカバー２０との間には、水密性を維持するための水密パッキン２２が介在している。水密パッキン２２は、基板収容室５の開口部１８側に位置決めされて固着されるため、開口部１８への水密パッキン２２の搭載については、コネクタカバー２０の説明の前に説明する。
【００６６】
上係合爪２４が基板収容室５の開口部１８の頂部に突出して設けられ、一対の制限タブ２５がコネクタ端子１９に平行な方向に突出する開口部１８の頂部の前側と後側の両方に設けられる。基板収容室５の開口部１８は、前後の制限タブ２５を回避するような形状にされており、平坦なシール表面２６は、その全周囲面積と連続的なストリップを形成する。シール表面２６の４箇所には、位置決め凹部２６ａが形成される。
【００６７】
水密パッキン２２は、開口部１８のシール表面２６に対応する実質的に長方形の形状を有し、水密パッキン２２の開口部１８側の表面には、位置決め凹部２６ａに対応する位置決め凸部２２ａが形成される。水密パッキン２２が開口部１８のシール表面２６に位置決めされ、水密パッキン２２の位置決め凸部２２ａがシール表面２６の位置決め凹部２６ａに嵌合することにより、水密パッキン２２のシール表面２６上の正しい位置からの位置ずれを防止する。このとき、制限タブ２５および上係合爪２４はまた、水密パッキン２２の外側への位置ずれを防止する役割を果たす。
【００６８】
位置決め凹部２６ａと位置決め凸部２２ａを共にシール表面２６に嵌合することによって水密パッキン２２の位置ずれを防止する理由は、次のとおりである。
制御基板１５上の素子を最適に配置するには、十分な基板面積を確保する必要がある。一方、パワーウィンドウユニット１を小型化するためには、制御基板１５が配置される基板収容室５を可能な限り小さくする必要がある。したがって、開口部１８は、制御基板１５を挿入するのに十分な最小サイズを有するように設計されている。
【００６９】
水密パッキン２２の位置決めは、典型的には、シール表面２６の内側または外側に水密パッキン２２の位置ずれ防止壁を形成することによって行われるが、これにより開口部１８が生じることで、基板収容室５は、壁の厚さに等しい量だけサイズが増大する。この種の状況を回避するために、位置決め凹部２６ａおよび位置決め凸部２２ａは、シール表面２６に互いに嵌合される。したがって、基板収容室５のサイズを最小サイズに縮小することができ、特にパワーウィンドウユニット１の深さ方向の厚さ（図３のＢによって示す）を縮小することができるという効果が得られる。
【００７０】
一方、図２および図５に示すように、下係合爪２７（係合ユニット）は、ホイール収容室３の底部右の取付ブラケット６から連結バー１６の下へと右側に突出しており、その先端は、基板収容室５の開口部１８の下に位置決めされる。以下に説明するように、上係合爪２４と下係合爪２７は共に作用し、コネクタカバー２０を基板収容室５の開口部１８に固定する役割を果たす。
【００７１】
図２および図６に示すように、コネクタカバー２０には、基板収容室５の開口部１８を塞ぐカバー部２９と、制御基板１５のコネクタ端子１９を取り囲んで支持するコネクタ部３０とが単一のユニットとして形成される。
【００７２】
カバー部２９は、基板収容室５の開口部１８に対応する実質的に長方形の形状を有し、開口部１８と同様の平坦なシール表面３１がその周囲に形成される。開口部１８の制限タブ２５が嵌合されるその前側および後側には、制限凹部３２が形成される。カバー部２９の頂部には、上述した上係合爪２４が係合する上係合部３３が形成され、カバー部２９の底部には、下係合爪２７が係合する下係合部３４が形成される。
【００７３】
一方、コネクタ部３０は、カバー部２９から長方形に突出した形状であり、コネクタ部３０は、正面から見たときにカバー部２９に対して角度を形成することによって、コネクタカバー２０が基板収容室５の開口部１８に固着されるときに右側に向けられる。コネクタ部３０の基端（カバー部２９側）、カバー部２９の内部およびコネクタ部３０の内部には、制御基板１５のコネクタ端子１９が挿入される端子孔３５が形成され、各部はこれらの端子孔３５を介して接続される。
【００７４】
コネクタカバー２０を基板収容室５の開口部１８に固着するには、コネクタカバー２０を正しい姿勢で右側から基板収容室５の開口部１８に近づけると、まず開口部１８の前後に位置する制限タブ２５がコネクタカバー２０の制限凹部３２に挿入される。したがって、コネクタ２１は、前後および縦方向の位置が制限された状態で開口部１８に近づけられる。シール表面３１は、開口部１８のシール表面２６に対応する正しい位置に正確に配置される。
【００７５】
これと同時に、制御基板１５のコネクタ端子１９がコネクタカバー２０の端子孔３５に挿入されて支持され、その端部がコネクタ部３０に突出して取り囲まれる。この場合、コネクタ２１は、制限タブ２５と制限凹部３２の係合によって位置が制限され、コネクタ端子１９が端子孔３５に確実に挿入される。コネクタ端子１９を介したコネクタカバー２０側からの支持は、基板収容室５内の制御基板１５の底部の移動を制限する。
【００７６】
その後、開口部１８側の上下の係合爪２４および２７がコネクタカバー２０の上下の係合部３３および３４に係合し、コネクタカバー２０が開口部１８から離れて右側に移動することを防止する。制限タブ２５と制限凹部３２は依然として係合しているので、コネクタカバー２０は、前後および縦方向のその移動が制限され、したがって開口部１８の正しい位置に確実に固定される。その結果、基板収容室５の開口部１８は、コネクタカバー２０のカバー部２９によって塞がれ、水密パッキン２２は、カバー部２９のシール表面３１と開口部１８のシール表面２６との間に介在しているため、水密性が維持される。
【００７７】
（制御基板１５の底部面積の構成の作用効果）
次に、このように構成された制御基板１５の底部面積の周りの構成によって得られる作用効果について説明する。
まず、開口部１８を基板収容室５の底部に形成し、制御基板１５を基板表面に沿って基板収容室５に挿入する。例えば、特許文献１の技術では、制御基板は、基板表面と直角に交差する方向から基板収容室に挿入されるため、少なくとも制御基板と同じサイズまで基板収容室を開く必要がある。大きな開口部を形成することは、強度の点で主ケーシングユニットにとって不利であり、水密性を必要とするシールの長さが長くなり、これにより、防水パッキン２２の大型化に伴うコストの増加と、水密性の難易度が高くなることによる信頼性の低下が不可避となる。
【００７８】
対照的に、図４〜図６に示すように、本実施形態による開口部１８は、基板表面に沿って挿入される制御基板１５およびその上に搭載される素子との干渉を回避するのに十分な大きさであればよく、非常に小さな開口部１８であっても問題なく作用する。これは、主ケーシングユニット２の強度の点で有利であり、特許文献１の技術における主ケーシングユニットと同じ強度を維持しつつ、薄型軽量設計を可能にする。水密性に必要なシールの長さが大幅に短縮されるため、より小さな防水パッキン２２によるコスト削減と、水密性の難易度の低下による信頼性の向上も達成することができる。
【００７９】
本実施形態による基板収容室５の開口部１８は、対角線方向に開口すると共に、下方向だけでなく右方向にも向いている。したがって、制御基板１５のコネクタ端子１９を開口部１８から右側に突出させてコネクタカバー２０と接合することにより、コネクタ２１を構成することができる。具体的には、基板収容室５の開口部１８が右斜め下に開口する単純な形状で、制御基板１５を底部から挿入することと、コネクタ端子１９を右に突出させることの両方が達成され得る。したがって、開口部１８の周りの構成を簡素化することができ、さらなるコスト削減を達成することが可能となる。
【００８０】
制御基板１５を傾けるために、基板収容室５の底部は、連結バー１６を介して、ホイール収容室３の取付ブラケット６から離れて右側に移動させる。その結果、空間が基板収容室５の底部とホイール収容室３の底部との間に作られ、この空間は、フロントカバー７をホイール収容室３にかしめるため、およびコネクタカバー２０を固定する下係合爪２７を形成するために使用される。
【００８１】
まず、フロントカバー７のかしめについて説明する。フロントカバー７をホイール収容室３に接合するには、周囲の少なくとも１８０°離れた２つの場所をかしめる必要があり、ウォーム収容室４および取付ブラケット６を回避する必要がある。したがって、図２に示すように、１つのかしめ位置Ｃは、ホイール収容室３と基板収容室５との間に制限される。基板収容室５の底部がホイール収容室３の底部近くにある場合、かしめのための余分な空間はなく、基板収容室５によって塞がれるため、別のより複雑な接合構造を使用する必要がある。
【００８２】
本実施形態では、連結バー１６によって作られる空間を使用しており、位置Ｃでのかしめを問題なく行うことができる。フロントカバー７は、複雑な接合構造を使用することなく、単純なかしめによってホイール収容室３に接合することができ、これもコスト削減に大きく貢献する。
【００８３】
次に、下係合爪２７の形成について説明する。かしめの場合と同様に、基板収容室５の底部がホイール収容室３の底部に近い場合、下係合爪２７を形成するための余分な空間はなく、基板収容室５によって塞がれている。したがって、コネクタカバー２０の底部は、係合爪以外の複雑な構造によって固定されなければならない。
【００８４】
本実施形態では、連結バー１６によって作られる空間を使用しており、問題なく下係合爪２７を形成することができる。したがって、複雑な固定構造を使用することなく、単純な係合原理でコネクタカバー２０の底部を固定することができ、これもコスト削減に大きく貢献する。
【００８５】
（制御基板１５の頂部面積の構成）
次に、制御基板１５の頂部の周りの構成について説明する。
図７は、制御基板１５を示す斜視図である。この図面では、制御基板１５は図２に対応する姿勢で示されており、基板上の素子およびコネクタ端子１９は省略されている。
【００８６】
まず、制御基板１５の構成について図７に基づいて説明する。全体として、制御基板１５は細長い長方形に形成されており、特許文献１に記載の制御基板のような逃げ部は形成されていない。詳細な理由を以下に示すが、これは底部の２つのモータ固定ユニット１３との干渉を防止する必要がないためである。
【００８７】
制御基板１５の上部には、モータ９との電気的接続のための一対の基板側端子３７（正極と負極）が配置される。基板側端子３７は、深さ方向に所定の距離離れた位置で右側に突出する。基板側端子３７は、深さ方向に平坦な形状を有する。基板側端子３７は、頂面３７ｂと、頂面３７ｂと反対側の底面３７ｃとを有する。一対の上下の圧入端部３７ａは、各々の左側に一体的に突出して設けられる。一対の上下の圧入端部３７ａは、底面３７ｃから突出する。圧入端部３７ａが制御基板１５に形成された孔に圧入されると、基板側端子３７が制御基板１５に固定され、圧入端部３７ａが制御基板１５から左側に突出する。
【００８８】
図８は、制御基板１５が挿入される前の基板収容室５の頂部を示す斜視図である。図９は、制御基板１５が挿入された後の基板収容室５の頂部を示す斜視図である。図１０は、モータ側端子を基板側端子３７に頂面３７ｂの頂部から嵌合する際の基板収容室５の頂部を示す斜視図である。図１１は、モータ側端子を基板側端子３７に嵌合する際の図１０のＸＩ−ＸＩ線に沿った断面図である。
【００８９】
特に、図１０および図１１に示すように、前後一対のモータ側端子３８は、基板収容室５内の制御基板１５の基板側端子３７に嵌合され、それによって制御基板１５とモータ９を電気的に接続する。これらの接続は、端子接続ユニット３９と呼ばれ、以下で詳細に説明する。見て分かるように、モータ側端子３８は、頂面３７ｂの頂部から基板側端子３７に嵌合される。
【００９０】
図８に示すように、ウォーム収容室４の右側への開口部４ａは、基板収容室５の上方に位置し、それらの間の接続を確立する。モータ９を主ケーシングユニット２の右側表面に固定した状態で、図１０に示すように、出力シャフト９ａが基板収容室５の上方を通り、開口部４ａからウォーム収容室４に挿入される。出力シャフト９ａには、モータの回転角を検出するための回転角センサ４２が設けられる。
【００９１】
図８に示すように、支持壁５ｃが基板収容室５の右壁５ｂの頂縁部から左側に向かって横方向に延び、端子案内溝４０ａ（端子案内ユニット）を有する一対の前後の溝突起４０が支持壁５ｃの左端部に形成される。端子案内溝４０ａは、左側および縦方向に開口するような形状にされている。端子案内溝４０ａの前後位置は、基板側端子３７の前後位置と一致する。したがって、図９に示すように、制御基板１５を基板収容室５内に配置した状態で、基板側端子３７を対応する端子案内溝４０ａに挿入する。
【００９２】
一方、基板収容室５内の左壁５ａの頂部には、一対の前後の端子位置制限ユニット４１が縦方向に突出して延びて設けられる。端子位置制限ユニット４１の前後位置は、基板側端子３７の前後位置に一致し、基板側端子３７の圧入端部３７ａの先端は、端子位置制限ユニット４１の左右方向の右側表面に一致する。したがって、図９に示すように、基板側端子３７の圧入端部３７ａの先端は、制御基板１５が基板収容室５に挿入された状態で、対応する端子位置制限ユニット４１に右側から当接するか、または小さな隙間を挟んで対向する。
【００９３】
図１０および図１１に示すように、一対のモータ側端子３８は、モータ９から左側に向かって突出し、モータ側端子３８の前後位置は、基板側端子３７の前後位置と一致し、モータ側端子３８の縦方向位置は、基板側端子３７の縦方向位置と一致する。モータ側端子３８の先端は前後に分割されており、対応する基板側端子３７を嵌合することによって、制御基板１５とモータ９が電気的に接続される。モータ側端子３８を介したコネクタカバー９側からの支持は、基板収容室５内の制御基板１５の底部の移動を制限する。
【００９４】
（制御基板１５の頂部面積の構成の作用効果）
次に、このように構成された制御基板１５の頂部面積の周りの構成によって得られる作用効果について説明する。
まず、図２に示すように、モータ９の出力シャフト９ａの軸線Ｃｍと直角に交差する直立姿勢に対して、制御基板１５を傾けることによって、制御基板１５の頂縁部が左側に移動する。したがって、制御基板１５の頂端部は、ホイール収容室３、ウォーム収容室４、および基板収容室５の間に形成された図２に示すデッドスペースＥに位置し、その結果、出力シャフト９ａの軸線Ｃｍ方向に底部の２つのモータ固定ユニット１３から離れて左に向かって移動する。
【００９５】
このようにして、制御基板１５とモータ固定ユニット１３との重なりが回避されるため、モータ固定ユニット１３との干渉を防止するために制御基板１５に逃げ部を形成する必要がない。したがって、基板形状の制限をなくし、適切な基板形状、例えば、一般的な細長い長方形の形状を有する制御基板１５を達成することが可能である。したがって、制御基板１５を低コストで製造することができ、パワーウィンドウユニット１についてもコスト削減を達成することができる。また、基板面積を最大化することにより制御基板１５上に素子を最適に配置することができるため、トラブルを防止して信頼性を向上させることができる。
【００９６】
さらに、端子接続ユニット３９が制御基板１５の頂部に位置し、モータ側端子３８を基板側端子３７に嵌合することによって構成される。モータ側端子３８はモータ９から突出しているため、モータ９は必然的に端子接続ユニット３９の右側寄りに位置することになる。傾いた制御基板１５の頂部と端子接続ユニット３９の両方が左側に変位するため、モータ９の位置も左側に変位する。なお、モータ固定ユニット１３も必然的に左に変位するが、制御基板１５が左側にも変位することはモータ固定ユニット１３の変位を防止する要因ではないことに留意されたい。
【００９７】
本実施形態では、特許文献１の技術のように、制御基板とモータ固定ユニットとの重なりが回避されるため、（主ケーシングユニットから離れる方向に）モータ固定ユニットを右側に変位させる必要がないだけでなく、モータ固定ユニット１３、およびモータ９自体を左に変位させる。したがって、パワーウィンドウユニット１の左右の長さＬｒｌ（図２に示す）を短くすることができるという効果が得られる。
【００９８】
一方、パワーウィンドウユニット１を組み立てる際には、端子接続ユニット３９の基板側端子３７とモータ側端子３８が以下の手順で接続される。
制御基板１５が開口部１８から基板収容室５に挿入されると、基板側端子３７は徐々に上昇し、挿入完了直前に対応する端子案内溝４０ａに下方から挿入される。基板側端子３７は、小さくて剛性が低いため、傾きなどにより深さ方向に位置ずれする傾向があるが、端子案内溝４０ａに挿入されることによって正しい前後位置に補正される。制御基板１５の挿入が完了すると、図９に示すように、端子案内溝４０ａ内の正しい前後位置に保持される。
【００９９】
さらに、基板側端子３７の圧入端部３７ａも制御基板１５の挿入に伴って徐々に上昇し、図９に示すように挿入が完了すると、圧入端部３７ａの先端は、右側から端子位置制限ユニット４１に当接するか、または隙間を挟んで対向する。
【０１００】
次に、モータ９の出力シャフト９ａを主ケーシングユニット２のウォーム収容室４に右側から挿入すると、モータ側端子３８は、基板収容室５内の右側から基板側端子３７に接近する。モータ９のフランジ部９ｂが主ケーシングユニット２の右側表面に当接すると、モータ側端子３８は、対応する基板側端子３７を右側から挟み込んで嵌合する。このように、基板側端子３７が端子案内溝４０ａで正しい前後位置に保持されるため、モータ側端子３８は、基板側端子３７に確実に嵌合する。
【０１０１】
組み立て中、基板側端子３７は、モータ側端子３８から左側への押圧力を受ける。したがって、基板側端子３７が正しい前後位置にあったとしても、押圧力による左側への移動または変形により嵌合不良になる可能性がある。
【０１０２】
しかしながら、本実施形態では、端子位置制限ユニット４１が基板側端子３７の圧入端部３７ａの先端を左側から当接させることによって位置が制限されるため、基板側端子３７による左側への移動または変形が防止され、モータ側端子３８との嵌合がさらに強固になる。
【０１０３】
さらに、モータ側端子３８からの押圧力は基板側端子３７を介して端子位置制限ユニット４１に伝達されるが、制御基板１５には作用しないため、制御基板１５が破損する恐れはない。その結果、制御基板１５とモータ９との間に強固な電気的接続が確立され、信頼性をさらに向上させることができるため、接触不良などの問題が回避される。
【０１０４】
（制御基板１５の姿勢に関する作用効果）
次に、傾いた制御基板１５の姿勢によって得られる作用効果について説明する。
従来、パワーウィンドウユニット１を小型化するために、様々な対策が講じられてきた。本実施形態では、ウォームホイール８の直径を小さくすることによって（ホイール収容室３の直径も小さくなる）、縦方向長さが短くなる。しかしながら、制御基板１５の縦方向長さは素子の配置により短くすることが困難であるため、制御基板１５が直立に配置される場合、制御基板１５の底部は取付ブラケット６を越えて突き出る。その結果、ホイール収容室３の直径を小さくしても、右側から見た突起面積が小さくならず、サイズの小型化ができなかった。
【０１０５】
本実施形態では、制御基板１５は、頂端部が左に移動し、底端部が右に移動した状態で、直立姿勢を基準として傾く。したがって、底部を取付ブラケット６よりもさらに上に位置決めし、制御基板１５の同じ縦方向長さを維持しながら下方への突出を防止することで、パワーウィンドウユニット１の縦方向長さＬｕｄ（図２に示す）を短くすることができる効果を提供する。状況に応じて、制御基板１５の縦方向の長さを長くして、制御基板１５の下方への突出を防止しながら、素子を配置するためのスペースを増やすことができる。
【０１０６】
本実施形態のパワーウィンドウユニット１では、左右の長さＬｒｌおよび縦方向長さＬｕｄが短くなるだけでなく、サイズの小型化に加えて、全体形状が実質的に長方形に維持されるため梱包に有利である。
言い換えれば、制御基板１５の底端部を右側に変位させた結果、基板収容室５およびコネクタカバー２０は、制御基板１５が直立姿勢にある場合よりも右側にさらに突き出る。しかしながら、右側はモータ９の直下に対応するため、正面から見たときのパワーウィンドウユニット１の形状は実質的に長方形（縦方向Ｌｒｌ×横方向Ｌｕｄ）に保たれる。実質的に長方形のパワーウィンドウユニット１は、大量輸送中に梱包が容易であり、パレットあたりの積荷重量を増加させることができる。したがって、製品としての機能性だけでなく、出荷中のまったく異なる利便性の面でも利点が得られる。
【０１０７】
なお、本実施形態では、一対の端子位置制限ユニット４１を基板収容室５の左壁５ａに設けてモータ側端子３８との嵌合による基板側端子３７の移動または変形を防止したが、他の構成でも同じ作用効果を得ることができる。他の実施形態を以下に説明する。
【０１０８】
図１２は、別の実施形態において制御基板１５が挿入される前の基板収容室５の頂部を示す斜視図である。図１３は、別の実施形態において制御基板１５が挿入された後の基板収容室５の頂部を示す斜視図である。図１４は、別の実施形態においてモータ側端子３８を基板側端子３７に嵌合する際の図１１に対応する断面図である。
【０１０９】
これらの図面に示すように、基板収容室５の左壁５ａの頂部には、端子位置制限ユニット４１の代わりに、一対の前後の基板位置制限ユニット５１（図１３および図１４では一方のみを示す）が設けられる。制御基板１５が基板収容室５に挿入されると、制御基板１５の頂部は、図１３および図１４に示すように、基板位置制限ユニット５１の右側表面に右側から当接するか、または小さな隙間を挟んで対向する。
【０１１０】
モータ側端子３８が右側から制御基板１５の基板側端子３７に嵌合すると、基板側端子３７は、左側への押圧力を受ける。この場合、基板位置制限ユニット５１は、制御基板１５の頂部に左側から当接することで、位置を制限し、押圧力による制御基板１５の反りまたは変形を防止する。
その結果、基板側端子３７も制御基板１５を介して位置が制限され、それにより左側への移動または変形が防止される。したがって、先の実施形態と同様に、基板側端子３７とモータ側端子３８がより強固に嵌合し、接触不良などの問題を事前に防止することが可能である。
【０１１１】
図１５では、制御基板１５および基板側端子３７をより詳細に示す斜視図が提供されている。見て分かるように、制御基板１５は、細長い長方形の形状を有する。制御基板１５は、基板側端子３７を搭載するように構成された制御基板面１５ａを含む。制御基板面１５ａは、長手方向Ｄｌに沿って、かつ長手方向Ｄｌに垂直な幅方向Ｄｗに沿って延びる。長手方向Ｄｌと幅方向Ｄｗは共に、制御基板面１５ａに及ぶ。長手方向Ｄｌは、制御基板１５の挿入方向に実質的に平行である（図４の矢印「挿入」によって示される）。
【０１１２】
制御基板１５には、そのモータ側端部（モータ側部位）に基板側端子３７が設けられる。図７に関連して既に述べたように、各基板側端子３７は、頂面３７ｂと、頂面３７ｂの反対側の底面３７ｃとを含む。頂面３７ｂは、例えば、図１０に示すように、モータ側端子３８に嵌合されるように構成される。底面３７ｃは、基板側端子３７を制御基板１５に固定するように構成される。このため、各基板側端子３７の底面３７ｃには、上下の圧入端部３７ａが制御基板１５に形成された対応する孔に圧入されるように突出して一体的に設けられる。圧入端部３７ａに加えて、または代替的に、底面３７ｃは、制御基板１５上に少なくとも部分的にはんだ付けされる。これは、底面３７ｃが制御基板１５上にはんだ付けされる領域３７ｄによって概略的に示されている。もちろん、はんだ付けの代わりに、底面３７ｃは、当技術分野で知られている任意の他の接着手段によって制御基板１５に接着、溶接、または取り付けられてもよい。
【０１１３】
図１５でさらに分かるように、頂面３７のモータ側端部と制御基板１５との間の第１の距離（短く言うと、距離）Ｄ１（制御基板１５または制御基板面１５ａに垂直に測定）は、頂面３７のコネクタ側端部と制御基板１５との間の第２の距離（短く言うと距離）Ｄ２（制御基板１５または制御基板面１５ａに垂直に測定）よりも大きく、頂面３７ｂのコネクタ側端部は、頂面３７ｂのモータ側端部の反対側にある。第１の距離Ｄ１が第２の距離Ｄ２よりも大きいとき、この配置により、頂面３７ｂが制御基板１５または制御基板面１５ａに非平行になる。より正確には、頂面３７ｂのモータ側端部と頂面３７ｂのコネクタ側端部を接続する接続線Ｃｌ（別名では、モータ側端部からコネクタ側端部への頂面の第１の方向）は、制御基板１５または制御基板面１５ａと鋭角Ａを形成する。
【０１１４】
有利な実施形態では、角度Ａは、モータ側端部からコネクタ側端部への頂面３７ｂの第１の方向（すなわち、接続線Ｃｌ）が、モータ９の出力シャフト９ａの軸出力シャフト線Ｃｍに実質的に垂直になるように選択される。この構成では、モータ側端子３８が軸出力シャフト線Ｃｍ（図２参照）に実質的に平行な嵌合方向に沿って基板側端子３７に嵌合するため、モータ側端子３８は、頂面３７ｂの頂部から基板側端子３７に常に確実にかつ長期的に信頼性が高く嵌合することが保証される。
【０１１５】
図１５でさらに分かるように、頂面３７ｂの全体形状は、第１の方向に垂直な第２の方向（すなわち、制御基板１５の幅方向Ｄｗに実質的に平行な方向）に少なくとも部分的に凸状である。この構成により、モータ側端子３８は、頂面３７ｂの頂部から基板側端子３７に少ない嵌合力で簡単に嵌合することができる。本明細書で使用される「凸状」という用語は、頂面３７ｂの全体形状が外側に、すなわち底面３７ｃから離れて湾曲していることを示す。
【０１１６】
図１５でさらに分かるように、かつ既に述べたように、基板側端子３７を制御基板１５に固定するために、一対の上下の圧入端部３７ａが各基板側端子３７の底面３７ｃから突出する。好ましくは、上圧入端部３７ａは、底面３７ｃのモータ側端部に可能な限り近くに位置するように配置され、下圧入端部３７ａは、底面３７ｃのコネクタ側端部に可能な限り近くに位置するように配置される。本明細書で使用される「可能な限り近くに」という用語は、一対の上下の圧入端部３７ａが、製造公差を考慮して製造上の観点からモータ側端部およびコネクタ側端部に可能な限り近くに位置することを示す。上下の圧入端部３７ａがそれぞれモータ側端部とコネクタ側端部に可能な限り近くに位置するとき、２つの隣接する圧入端部３７ａ間の距離（長手方向Ｄｌに沿って測定）は、最大になる。その結果、モータ側端子３８を基板側端子３７に嵌合する際に基板側端子３７に作用する力をさらによく吸収することができ、モータ側端子３８と基板側端子３７とのより安定した、より長期的な信頼性の高い電気的接続が可能になる。
【０１１７】
図示されていない別の実施形態では、基板側端子３７は、３つ以上の圧入端部３７ａを含むことができる。
【０１１８】
ここで図１６を参照すると、制御基板１５の詳細な斜視図が、基板側端子３７の別の実施形態と共に示されている。明確にするために、領域３７ｄは示されていない。図１６に示す実施形態では、制御基板１５に対する頂面３７ｂの上述の非平行配置に加えて、モータ側端部からコネクタ側端部への第１の方向における、すなわち接続線Ｃｌに沿った頂面３７ｂの全体形状は、さらに少なくとも部分的に凸状である。再び、本明細書で使用される「凸状」という用語は、第１の方向における頂面３７ｂの全体形状が外側に、すなわち底面３７ｃから離れて湾曲していることを示す。この構成では、モータ側端子３８を基板側端子３７に嵌合する際、モータ側端子３８が凸状の頂面３７ｂに面しており、したがってモータ側端子３８と基板側端子３７との間の全体的な接触面積を減らすことができるため、嵌合力を低減することができる。
【０１１９】
ここで図１７を参照すると、制御基板１５の詳細な斜視図が、基板側端子３７のさらに別の実施形態と共に示されている。明確にするために、領域３７ｄは示されていない。図１７に示す実施形態では、制御基板１５に対する頂面３７ｂの上述の非平行配置に加えて、モータ側端部からコネクタ側端部への第１の方向における、すなわち接続線Ｃｌに沿った頂面３７ｂの全体形状は、さらに少なくとも部分的に凹状である。本明細書で使用される「凹状」という用語は、第１の方向における頂面３７ｂの全体形状が内側に、すなわち底面３７ｃに向かって湾曲していることを示す。この構成では、凸状形状（図１６参照）と同様に、モータ側端子３８を基板側端子３７に嵌合する際、モータ側端子３８が凹状の頂面３７ｂに面しており、したがってモータ側端子３８と基板側端子３７との間の全体的な接触面積を減らすことができるため、モータ側端子３８と基板側端子３７との嵌合力を低減することができる。
【０１２０】
図示されていない他の実施形態では、モータ側端部からコネクタ側端部までの第１の方向における頂面３７ｂの全体形状は、少なくとも部分的に凸状と少なくとも部分的に凸状形状の組み合わせであってもよい。
【０１２１】
実施形態の説明は終了するが、本発明の実施形態はこれらの実施形態に限定されない。例えば、上述の実施形態では、ウィンドウを昇降させるパワーウィンドウユニット１の具体例を挙げたが、モータユニットの種類はこれに限定されず、適宜変更してもよい。例えば、サンルーフを開閉するモータに本発明を適用してもよい。
【符号の説明】
【０１２２】
１  パワーウィンドウユニット
２  主ケーシングユニット
３  ホイール収容室
５  基板収容室
７  フロントカバー（カバー部材）
８  ウォームホイール
９  モータ
９ａ  出力シャフト
１０  ウォーム
１２  ねじ（固定部材）
１３  モータ固定ユニット
１５  制御基板
１５ａ  制御基板面
１８  開口部
１９  コネクタ端子
２０  コネクタカバー
２１  コネクタ
２２  水密パッキン
２７  下係合爪（係合ユニット）
３７  基板側端子
３７ａ  圧入端部
３７ｂ  基板側端子の頂面
３７ｃ  基板側端子の底面
３７ｄ  領域
３８  モータ側端子
４０ａ  端子案内溝（端子案内ユニット）
４１  端子位置制限ユニット
５１  基板位置制限ユニット
Ｃｌ  接続線
Ｃｗ  ウォームホイールの軸線
Ｃｍ  出力シャフトの軸線（軸出力シャフト線）
Ｄｌ  制御基板の長手方向
Ｄｗ  制御基板の幅方向
Ｄ１  第１の距離
Ｄ２  第２の距離
Ａ  角度
【図１】
0006960517.tif 000002
【図２】
0006960517.tif 000003
【図３】
0006960517.tif 000004
【図４】
0006960517.tif 000005
【図５】
0006960517.tif 000006
【図６】
0006960517.tif 000007
【図７】
0006960517.tif 000008
【図８】
0006960517.tif 000009
【図９】
0006960517.tif 000010
【図１０】
0006960517.tif 000011
【図１１】
0006960517.tif 000012
【図１２】
0006960517.tif 000013
【図１３】
0006960517.tif 000014
【図１４】
0006960517.tif 000015
【図１５】
0006960517.tif 000016
【図１６】
0006960517.tif 000017
【図１７】
0006960517.tif 000018